(57)【特許請求の範囲】
【請求項１】
誘電体基板上に形成された多段の分布定数線路型共振器パターンと、
この多段の共振器パターンの上方に配置された共振用キャビティと、
このキャビティの天井から上記共振器パターンへ向けて突出配置され、上記共振器パターンと容量結合することで、共振周波数の２倍以上の高調波成分を抑圧するための抑圧用ポストと、を含んでなる分布定数線路型バンドパスフィルタ。
【請求項２】
上記抑圧用ポストは、上記多段の共振器パターンのうち複数の共振器パターンに対して１つ配置したことを特徴とする請求項１記載の分布定数線路型バンドパスフィルタ。
【発明の詳細な説明】
【技術分野】
【０００１】
本発明は分布定数線路型バンドパスフィルタ、特に高調波等の不要周波数成分を抑圧する機能を持つ分布定数線路型のバンドパスフィルタの構造に関する。
【背景技術】
【０００２】
従来から、高周波を扱う回路・機器では、バンドパスフィルタ等の各種フィルタが用いられ、不要な周波数成分を抑圧しながら必要な周波数成分を伝送することが行われる。下記特許文献１には、導波管に適用した帯域阻止フィルタ（導波管型フィルタ）が示されており、この帯域阻止フィルタは、矩形導波管の途中に円筒空洞共振器を設けることで、所定の周波数の通過を阻止すると共に、この空洞共振器に調整ビスを配置することで、阻止周波数の調整を行うことができる。
【０００３】
一方、上記導波管型フィルタではなく、マイクロストリップ線路等の分布定数線路で構成する分布定数線路型のバンドパスフィルタも用いられており、このバンドパスフィルタは、例えば誘電体基板にλ／２共振器パターンを多段に結合するように形成し、この多段のλ／２共振器パターンの上方にキャビティを設ける構成とされ、これによってλ／２の共振が確保される。
【先行技術文献】
【特許文献】
【０００４】
【特許文献１】特開２００４−４８３００号公報
【発明の概要】
【発明が解決しようとする課題】
【０００５】
しかしながら、従来の分布定数線路型のバンドパスフィルタでは、上述のように、λ／２共振器を多段に結合させる構成であるため、基本共振周波数（通過帯域）の２倍でも共振（λ共振）し、この２倍以上の高調波成分を抑圧できないという問題があった。
【０００６】
そのため、従来では、高調波成分を抑圧するために、別のローパスフィルタを設ける等しているが、この方法では、回路の占有面積又は占有体積が増えると共に、追加したフィルタの挿入損失が増え、製品全体のゲインに影響を与えるという不都合がある。
【０００７】
本発明は上記問題点に鑑みてなされたものであり、その目的は、追加のフィルタを設けることなく、２倍以上の高調波成分を良好に抑制できる分布定数線路型バンドパスフィルタを提供することにある。
【課題を解決するための手段】
【０００８】
上記目的を達成するために、請求項１の発明に係る分布定数線路型バンドパスフィルタは、誘電体基板上に形成された多段の分布定数線路型共振器パターンと、この多段の共振器パターンの上方に配置された共振用キャビティと、このキャビティの天井から上記共振器パターンへ向けて突出配置され、上記共振器パターンと容量結合することで、共振周波数の２倍以上の高調波成分を抑圧するための抑圧用ポストと、を含んでなることを特徴とする。
請求項２の発明は、上記抑圧用ポストを、上記多段の共振器パターンのうち複数の共振器パターンに対して１つ配置したことを特徴とする。
【０００９】
上記の構成によれば、抑圧用ポストを設けることで、例えば２倍高調波の共振周波数においてインピーダンスが０となる直列共振回路が形成され、これによって、２倍高調波の伝播が抑制される。
また、この抑圧用ポストは、多段の分布定数線路型共振器パターンのそれぞれに対応させ、複数設けることもできるが、請求項２の発明のように、１つの抑圧用ポストを複数の共振器パターンに結合させるようにしてもよい。
【発明の効果】
【００１０】
本発明のバンドパスフィルタによれば、抑圧用ポストを配置することで、追加のフィルタを設けることなく、２倍以上の高調波成分を良好に抑制できるという効果がある。従って、回路の占有面積又は占有体積が増えることはなく、追加したフィルタの挿入損失が増え、製品全体のゲインに影響を与えることも防止される。
また、請求項２の発明のように、複数の共振器パターンに対して１つの抑圧用ポストを設ける場合は、それぞれの共振器パターンに対して配置する場合に比べて、抑圧調整や構造が簡単となり、製造の低コスト化を図ることも可能となる。
【図面の簡単な説明】
【００１１】
【図１】本発明の実施例に係る分布定数線路型バンドパスフィルタの構成を示し、図（Ａ）はフィルタ内部の平面図、図（Ｂ）は抑圧用ポスト部分での断面図、図（Ｃ）は信号伝播方向を描いた多段共振器パターン図である。
【図２】実施例のバンドパスフィルタにおいて、共振器の電流分布［図（Ａ）］、抑圧用ポストとフィルタ共振器との結合等価回路図［図（Ｂ）］、この結合等価回路を説明するための図［図（Ｃ）］、ＬＣ共振回路の周波数−インピーダンス特性を示す図［図（Ｄ）,（Ｅ）］である。
【図３】実施例のバンドパスフィルタの通過特性を従来（抑圧用ポストなし）と比較したもので、図（Ａ）は２４〜２９ＧＨｚ（２倍高調波帯域）の特性図、図（Ｂ）は１３．５〜１４．７５ＧＨｚ（通過帯域）の特性図である。
【発明を実施するための形態】
【００１２】
図１には、本発明の実施例に係る分布定数線路型バンドパスフィルタの構成が示されており、このバンドパスフィルタでは、キャビティ（共振空洞）５０を形成する金属製ケース（筐体）１の中の底面部に、誘電体基板２が配置される。この誘電体基板２には、通過周波数帯域のλ（波長）の１／２で共振するマイクロストリップ線路（分布定数線路）のλ／２共振器パターン３が６段形成される。即ち、このλ／２共振器パターン３は、３〜５μｍ程度の厚さの銅皮膜等の導体膜をパターニングしたもので、四角形環状のマイクロストリップ線路の１辺の両端を開放にした形状とされ、６個を図示の向きで配置（電磁結合）することで、図１（Ｃ）の点線で示す方向Ｆで信号が伝播するように構成される。
【００１３】
そして、上記６段のλ／２共振器パターン３全体の略中心の上方に、金属製円柱（角柱等でもよい）からなる抑圧用ポスト５が設けられており、この抑圧用ポスト５は、ケース１の上面の一部に形成された凹部に配置される。この抑圧用ポスト５においては、λ／２共振器パターン３からの距離（高さ）とその直径（即ち面積）を最適な値に調整・設定することで、また多段のλ／２共振器パターン３上の最適な位置に配置することで、２倍高調波を良好に抑圧することができる。実施例の抑圧用ポスト５は、その面積（底部面積）が１つのλ／２共振器パターン３の大きさ（四角形の大きさ）よりも大きくなっている。
【００１４】
また、実施例の抑圧用ポスト５は、図１（Ｂ）のように、中味のある円柱体としてあるが、ケース１を構成する金属で一体に形成し、ケース１と同一の厚みを有し中味のない（内部が空洞となる）円柱状ポストとしてもよい。更に、この抑圧用ポスト５は、外周に雄ネジ部を形成したねじ式ポストとし、このねじ式ポストをケース１の上面に設けたねじ孔（雌ネジ部形成孔）に螺合結合するようにしてもよい。
【００１５】
実施例は以上の構成からなり、次に図２を参照しながら、２倍高調波の抑制について説明する。
図２（Ａ）には、λ／２共振器パターン３が２倍の周波数で共振したときの電流分布が示されており、この図から分かるように、位相が９０°の位置で電流は最大（Ｉｍａｘ）となる。また、λ／２共振器パターン３のそれぞれは、基本共振周波数のλ／２で設計しているため、その共振周波数で共振したとき、６段のλ／２共振器パターン３の中心位置で最大となる。
【００１６】
図２（Ｂ）には、天井の抑圧用ポスト５とλ／２共振器パターン３との結合に関する等価回路で、図２（Ｃ）に示されるλ／２共振器パターン３の中の１つ（３Ｇ）についての等価回路が示されており、実施例では、図示されるように、λ／２共振器パターン３ＧのＩｍａｘの位置に、抑圧用ポスト５とキャビティ５０によって構成されるＬＣ並列共振回路７が容量８によって結合する状態となる。このＬＣ並列共振回路７の容量結合は、複数のλ／２共振器パターン３に対して生じる。そして、この並列共振回路７と容量８は、ＬＣ直列共振回路とみなすことができる。
【００１７】
図２（Ｄ）には、一般のＬＣ並列共振回路の周波数−インピーダンス特性が示されており、このＬＣ並列共振回路では、共振周波数ｆr1においてインピーダンスが∞となり、共振周波数ｆr1の前後では極大インピーダンス若しくは極小インピーダンスとなる。
図２（Ｅ）には、一般のＬＣ直列共振回路の周波数−インピーダンス特性が示されており、このＬＣ直列共振回路では、共振周波数ｆr2においてインピーダンスが０となる。
【００１８】
従って、上記実施例の並列共振回路７でも、共振周波数ｆr1より僅かに低い周波数では極大インピーダンスとなり、また容量８との結合によってＬＣ直列共振回路とみなすことができるので、この直列共振回路は、共振周波数ｆr2においてインピーダンスが０となる。即ち、λ／２共振器パターン３で電流最大となる箇所が高周波的に接地され、その共振周波数において信号の伝搬が抑制される。
【００１９】
図３（Ａ）,（Ｂ）には、実施例のバンドパスフィルタの通過特性が示されており、図３（Ａ）は、抑圧用ポスト５の有無において、周波数２４〜２９ＧＨｚ（２倍高調波帯域）の信号入力時の減衰量（挿入損失）、図３（Ｂ）は、同様に周波数１３．５〜１４．７５ＧＨｚ（通過帯域）の信号入力時の減衰量である。即ち、２倍高調波帯域では、図３（Ａ）の点線で示されるように、抑圧用ポスト５のない従来の場合、周波数２６〜２９ＧＨｚにおいて最大で−１２ｄＢ程度の通過帯域があり、基本共振周波数の約２倍に相当する周波数帯域では信号の減衰が小さくなっている。これに対し、図３（Ａ）の実線で示されるように、抑圧用ポスト５を設けた実施例の場合は、周波数２６．７５ＧＨｚに減衰極が発生し、この減衰極では、従来と比較すると、減衰量が最大で−３０ｄＢ程度改善されると共に、基本共振周波数の約２倍に相当する周波数帯域おいて減衰量が大きくなる効果が得られた。
【００２０】
一方、バンドパスフィルタの通過帯域では、図３（Ｂ）の点線及び実線に示されるように、抑圧用ポスト５の有無に関わらず、減衰量（挿入損失）が殆ど変化していないことが分かる。即ち、実施例では、抑圧用ポスト５を設けることで、通過帯域（基本共振周波数）における減衰特性を殆ど変えることなく、その約２倍の高調波の減衰特性を改善することができる。
【００２１】
また、上記実施例では、１つの抑圧用ポスト５を用いて高調波の抑圧を効率よく行っている。即ち、抑圧用ポストは、多段に形成されたλ／２共振器パターン３の各段毎に、例えば６段に対応して６個配置することも可能であるが、実施例のように、全体に対して１個配置したり、或いは数段単位に１個という割合で配置したりすれば、抑圧調整を容易にすると共に、構成の簡略化、低コスト化を図ることができる。
【００２２】
更に、実施例では、λ／２共振器を用いる場合について説明したが、その他の共振器を用いる場合でも、同様に適用することができる。
【符号の説明】
【００２３】
１…金属製ケース、          ２…誘電体基板、
３…λ／２共振器パターン、  ５…抑圧用ポスト、
７…並列共振回路、          ５０…キャビティ。
【図１】
0005481293.tif 000002
【図２】
0005481293.tif 000003
【図３】
0005481293.tif 000004